(57)【要約】      （修正有）【課題】使用中、雨水中の外部環境や配線段落等が保護されて寿命が延ばされ、不良区間を手軽に入れ替えられ修理が可能になる。【解決手段】並列方式による多数のＬＥＤの接したリード線を薄く束状の金属板のリード線を連結束で繋ぎする。そして一双のリード線連結束した多数のＬＥＤが繋がれたＬＥＤ結合体をその凹ホームに同方向で形成したフレキシブルプレと挿入させ、フレキシブルフレームの凹ホームでシリコーンのようなモルディング材を充填して製作することによって多数のＬＥＤのリード線をリード線連結束と連結するための、はんだ付け作業をせず圧搾によって接触不良もなく簡便に連結することができる。その多数のＬＥＤがフレキシブルフレームに列を作って繋がれたＬＥＤモジュールを簡単で正確に製作する。【選択図】図１
0003124533.tif 000002
【実用新案登録請求の範囲】
【請求項１】
フレキシブルフレーム（１）は同方向に形成された凹ホーム（１６）に多数のＬＥＤ（９）がリード線の連結手段によって、それぞれのリード線（１２）同士、同じ向きで繋がれたＬＥＤ結合体（１４）を挿入設置し、凹ホーム（１６）内に挿入されたリード線連結部は凹ホームに詰めたモールディング材（１３）によって間隔を維持して設置する。
上記凹ホーム（１６）はフレキシブルフレーム（１）上部に上部開放ホーム（２）を形成する。
その上部開放ホーム（２）の両側下部には水平突出部（３）が内向に形成されて，両側の水平突出部（３）の下部にはＬＥＤ（９）のフランジ部（１１）が挿入される。フランジ部挿入空間部（４）が形成される。フランジ部挿入空間部（４）の下部にはＬＥＤ（９）の２本リード線（１２）を分離させる中央隔壁が上向き突き出されて、この中央隔壁（６）の両側にはリード線に連結帯（７）で繋がれたＬＥＤ（９）の２本リード線（１２）が挿入されるフランジ部挿入空間部（４）が形成される。
上記リード線の連結手段は薄い金属束にＬＥＤ（９）のリード線（１２）が挿入した多数のリード線組み立て穴（８）を形成したリード線連結束（７）が形成することによって可能になる。
一双のリード線連結帯（７）には多数のＬＥＤ（９）を挿入設置するが、それぞれのリード線（１２）はリード線連結束のリード線組み立て穴（８）に挿入した後に圧搾結合し、一双のリード線連結束（７）に多数のＬＥＤ（９）が連結設置されたＬＥＤ連結体（１４）を装備している。
上記ＬＥＤ結合体（１４）の両側リード線（１２）とリード線連結束（７）が結合されたリード結合部は中央隔壁（６）両側リード線挿入空間部（５）に挿入し、多数のフランジ部（１１）はフランジ挿入空間部（４）で挿入され、さらに上部開放ホーム（２）でモルディング材（１３）が詰め凹ホーム（１６）に挿入したＬＥＤ結合体（１４）の間にも
モルディング材（１３）が詰めて結合することを特徴とする広告用ＬＥＤモジュールである。
【考案の詳細な説明】
【技術分野】
【０００１】  本考案は多数のＬＥＤがフレキシブルフレーム（ｆｌｅｘｉｂｌｅ  ｆｒａｍｅ）に列を作って設置する際に要する広告文字や図形に合わせて自在に曲げることができるようにする広告用ＬＥＤモジュールに関するものである。広告文字や図形をより鮮明にするために多数のＬＥＤを接続したリード線を薄い板金束にしたリード線連結束に連結する。そして一双のリード線連結束に多数のＬＥＤを繋いたＬＥＤ結合体を、その形状に合わせて凹ホームを同方向に形成したフレキシブルフレーム（ｆｌｅｘｉｂｌｅ  ｆｒａｍｅ）に挿入させて、ＬＥＤ結合体が挿入されたフレキシブルフレーム（ｆｌｅｘｉｂｌｅ  ｆｒａｍｅ）の凹ホームにシリコーン状モルディング材を充填して製作する。
そして多数のＬＥＤリード線を連結する際、半田付け作業をすることなく、圧搾することで接触不良もなく、簡便に連結することができる。これは多数のＬＥＤがフレキシブルフレーム（ｆｌｅｘｉｂｌｅ  ｆｒａｍｅ）に列状に繋ぐためにＬＥＤモジュールを簡単な工程で、かつ簡便に製作するようにすることを目的とする。
【背景技術】
【０００２】本考案は従来の問題点を解決するために，多数のＬＥＤのリード線を連結するリード線を薄い板金束に挟んだ後、圧搾することがことができることによって従来のすべての問題を一掃することことができるようになる。またフレキシブルフレーム（ｆｌｅｘｉｂｌｅ  ｆｒａｍｅ）に形成される凹ホームの構造をＬＥＤ結合体の形成に合うように改善し、２次加工することなく、一度にフレキシブルフレームを製作することができるようにすることによって，優れた品質のＬＥＤモジュールを低廉な費用で製作することを技術的課題とする。【０００３】  上記の目的を果たすための本発明は，フレキシブルフレーム（ｆｌｅｘｉｂｌｅ  ｆｒａｍｅ）に同方向に形成された凹ホームに多数のＬＥＤがリード線の連結手段によってそれぞれのリード線どうし、同一方向で繋がれたＬＥＤ結合体を挿入設置し、凹ホーム内で挿入する。
リード線連結部は凹ホームに詰めたモルディング材によって間隔を維持し、設置する時、上記凹ホームはフレキシブルフレーム上部に、上部開放ホームを形成して、その両側下部には水平突出部が内向きに形成され、両側の水平突出部の下部にはＬＥＤのフランジ部が挿入される空間部が形成される。またその空間部の下部には、ＬＥＤの２本のリード線を分離させる中央隔壁が上向きに突き出され、この中央隔壁の両側にはリード線連結束で繋がれるＬＥＤの２本のリード線が挿入されるフランジ挿入空間部が形成される。そして上記リード線連結手段は薄い板金束にＬＥＤのリード線が挿入される多数のリード線組み立て穴を形成し、一双のリード線連結束に多数のＬＥＤを挿入設置し、それぞれのリード線は、リード線連結束のリード線組み立て穴に挿入された後、圧搾し、結合するというものである。
またフレキシブルフレーム（ｆｌｅｘｉｂｌｅ  ｆｒａｍｅ）は一双のリード線の連結束に多数のＬＥＤを連結し、
設置したＬＥＤ結合体を具備し、上記ＬＥＤ結合体の２本のリード線とリード線連結束が結合されたリード線結合部が中央隔壁の両側の２本のリード線の挿入空間部に挿入され、多数のフランジ部はフランジ部挿入空間部に挿入され、，上部開放ホームでモルディング材が挿入され、凹ホームに挿入されたＬＥＤ結合体との隙間にモルディング材を詰めて結合されることを特徴とする。【０００４】  以下本考案による広告用ＬＥＤモジュールに添付された図１および図４を参考に説明するとのようになる。
本発明による広告用ＬＥＤモジュールは、フレキシブルフレーム（ｆｌｅｘｉｂｌｅ  ｆｒａｍｅ）（１）に同方向に形成された凹ホーム（１６）に多数のＬＥＤがリード線の連結手段によってそれぞれのリード線（１２）どうし、同一方向で繋がれたＬＥＤ結合体（１４）が挿入．設置され、凹ホーム（１６）に挿入されたリード線連結部は凹ホーム（１６）で詰めたモルディング材（１３）によって間隔を維持しながら設置される。【０００５】  上記凹ホーム（１６）はフレキシブルフレーム（ｆｌｅｘｉｂｌｅ  ｆｒａｍｅ）（１）上部にシリコーンなどのモルディング材（１３）を注入する上部開放ホーム（２）を形成して，上部開放ホーム（２）の両側下部には水平突出部（３）が内向きに形成され、両側水平突出部（３）の下部にはＬＥＤ（９）のフランジ部（１１）が挿入されるフランジ挿入空間部（４）が形成される。
またフランジ挿入空間部（４）の下部にはＬＥＤ（９）の２本のリード線（１２）を分離させる中央隔壁（６）が上向きに突き出て、この中央隔壁（６）の両側にはリード線連結帯（７）で繋がれるＬＥＤ（９）の両側にリード線（１２）が挿入されるフランジ挿入空間部（４）が形成されている。【０００６】  上記両側水平突出部（３）の間に形成される空間間隔では図２で見られるようにＬＥＤ本体（１０）が挿入されることで、ＬＥＤ本体（１０）が余裕を持って挿入することができるほどの大きさに形成されるようになり、上記上部開放ホーム（２）、水平突出部（３）、フランジ挿入空間部（４）、中央隔壁（６）およびリード線挿入空間部（５）によって形成される。また凹ホーム（１６）の大きさがそこに挿入されるＬＥＤ結合体（１４）より少々大きく緩やかな状態で製作でき後に説明するようにその隙間でモルディング材（１３）が注入され、結合されることが望ましいであろう。
そして，上記リード線の連結手段は図１及び図３で見られるように、薄い板金束にＬＥＤ（９）のリード線（１２）が挿入される多数のリード線組み立て穴（８）を形成したリード線連結束（７）を形成することによって、リード線（１２）が挟まれる穴，すなわちリード線組み立て穴（８）が原型管，三角管，四角管等の形状および図３の（Ｃ）のようなリード線連結束（７）の一部を切断し、その部分にリード線（１２）を挿入する穴（リード線組み立て穴：８）を形成することができる。【０００７】  上記の一双のリード線連結束（７）には多数のＬＥＤ（９）を挿入．設置するが，それぞれのリード線（１２）はリード線連結束（７）のリード線組み立て穴（８）に挿入した後に圧搾．結合されて一双のリード線連結束（７）に多数のＬＥＤ（９）が連結．設置されたＬＥＤ結合体（１４）を装備する。．【０００８】  上記  ＬＥＤ結合体（１４）の両側リード線（１２）とリード線連結帯（７）が結合されたリード線結合部が中央隔壁（６）両側リード線挿入空間部（５）に挿入され、多数のフランジ部（１１）はフランジ挿入空間部（４）に挿入され、
上部開放ホーム（２）でモルディング材（１３）が挿入され、凹ホーム（１６）に挿入されたＬＥＤ結合体（１４）との隙間にモルディング材（１３）を詰めて結合する。【０００９】  上記のように構成されている本発明の作用関係を図１及び図４を参考に説明すると、次のようになる。
本発明のＬＥＤモジュール（１５）を組立てる場合には図１及び図２で見られるように一双のリード線連結束（７）のリード線組み立て穴（８）に多数のＬＥＤ（９）のリード線（１２）を挟む。この時、ＬＥＤ（９）の両側の下向きに設置した２個のリード線（１２）のうち、左側のリード線（１２）は左側のリード線組み立て穴（８）に挟み、右側のリード線（１２）は右側のリード線組み立て穴（８）に挟んで，それぞれのリード線（１２）が挟まれたリード線組み立て穴（８）を圧搾させ、それぞれのリード線（１２）とリード線連結帯（７）が堅固に密着されるようにする．
このように多数のリード線（１２）を一双のリード線連結帯（７）に一定間隔で連結設置してＬＥＤ結合体（１４）を組立てるようにし、その組立てたＬＥＤ結合体（１４）をフレキシブルフレーム（ｆｌｅｘｉｂｌｅ  ｆｒａｍｅ）（１）の凹ホームで挿入させるため、多数のリード線（１２）がリード線連結束（７）に挿入．圧縮した２本のリード線の結合部を中央隔壁（６）の両側のリード線挿入空間部（５）から挿入させながら、フレンジ部（１１）はフレンジ挿入空間部（４）に挿入し、ＬＥＤ本体（１０）は両側の水平突出部（３）の間の空間に挿入する。【００１０】  上記のように凹ホーム（１６）でＬＥＤ結合体（１４）が挿入された時、両側のリード線結合部は中央隔壁（６）によって分離して合線される心配が全くなくなり、上記凹ホーム（１６）を緩く形成することによって、凹ホーム（１６）とＬＥＤ結合体（１４）の間には所定の隙間が生ずるようになる。
この状態でフレキシブルフレーム（ｆｌｅｘｉｂｌｅ  ｆｒａｍｅ）（１）の上部開放ホーム（２）からシリコーン状のモルディング材（１３）は注入すれば，ゼル状態のモルディング材（１３）はそれぞれの隙間に流れこみ、隙間を埋め、ＬＥＤ結合体（１４）のＬＥＤ本体（１０）上部を除いた全体を包みこむようになる。そして時間が経過し、モルディング材（１３）が固まればＬＥＤ結合体（１４）とフレキシブルフレーム（ｆｌｅｘｉｂｌｅ  ｆｒａｍｅ）（１）が一体化し、ＬＥＤモジュール（１５）の製作が完了する。
このようにして製作完了したＬＥＤモジュール（１５）はフレキシブルフレーム（ｆｌｅｘｉｂｌｅ  ｆｒａｍｅ）（１）とモルディング材（１３）が自在に曲げられることができ、その内部にはリード線（１２）を互いに連結させながら、固定しているリード線連結束（７）が銅版やアルミニウム版，鉄板のような薄い金属板を形成することによって、ＬＥＤモジュール（１５）を使用者が必要とする文字や図形，絵などを表す線を自在に曲げたり、棒状に伸ばして、作ることができることであり、上記のようにＬＥＤモジュール（１５）を思いどうりの模様にしたがって曲げたり広げたりして形づくる場合に、上記の金属板になったリード線連結束（７）によって形成された模様が元来の模様に戻ることなくその模様を維持するようになる。
【考案の效果】
【００１１】上記のように本考案の広告用ＬＥＤモジュールは、多数のＬＥＤのリード線を連結するリード線の連結を薄い金属版束にリード線を挟んだ後に圧搾させることによって、従来より生じている人件費の上昇，接触不良の発生などのすべての問題を一掃させられることは勿論、リード線連結束が薄い金属板に製作されることによってＬＥＤモジュールを思いどうりの模様にを曲げて作った場合でも、元来の位置に戻ることなく、美しく製作することができる効果がある。
その上フレキシブルフレーム（ｆｌｅｘｉｂｌｅ  ｆｒａｍｅ）に形成される凹ホームの構造をＬＥＤ結合体の形象に合うように改善し、２次加工することなく、一回でフレキシブルフレームを製作することができるようになり、製造原価を節減させる効果がある。凹ホームに形成される中央隔壁によって、２本のリード線結合部分を分離し、合線の心配が全くないなど、非常に有用な効果がある。
【図面の簡単な説明】
【００１２】
【図１】本考案による広告用ΛＥΔモジュールを表す分解斜視図である。
【図２】本考案による図１に図示した本発明の断面図である。
【図３】本考案による（ａ）（ｂ）（ｃ）は本発明の一部であるリード線連結帯の各種他の実試例を表わす斜視図。
【図４】本考案による本発明の一部であるフレキシブルフレーム（ｆｌｅｘｉｂｌｅ  ｆｒａｍｅ）の構造を表わす図面である。
【符号の説明】
【００１３】１：フレキシブルフレーム（ｆｌｅｘｉｂｌｅ  ｆｒａｍｅ）    ２：上部開放ホーム    ３：水平突出部    ４：フランジ部挿入空間部    ５：リード線挿入空間部    ６：中央隔壁    ７：リード線連結帯    ８：リード線組み立て穴    ９：ＬＥＤ    １０：ＬＥＤ本体    １１：・フランジ部    １２：リード線    １３：モルディング材    １４：ＬＥＤ結合体    １５：ＬＥＤモジュール    １６：  凹ホーム
【図１】
0003124533.tif 000003
【図２】
0003124533.tif 000004
【図３】
0003124533.tif 000005
【図４】
0003124533.tif 000006
【手続補正書】
【提出日】平成18年5月17日(2006.5.17)
【手続補正１】
【補正対象書類名】実用新案登録請求の範囲
【補正対象項目名】全文
【補正方法】変更
【補正の内容】
【実用新案登録請求の範囲】
【請求項１】
フレキシブルフレーム（１）は同方向に形成された凹ホーム（１６）に多数のＬＥＤ（９）がリード線の連結手段によって、それぞれのリード線（１２）同士、同じ向きで繋がれたＬＥＤ結合体（１４）を挿入設置し、凹ホーム（１６）内に挿入されたリード線連結部は凹ホームに詰めたモルディング材（１３）によって間隔を維持して設置し、上記凹ホーム（１６）はフレキシブルフレーム（１）上部に上部開放ホーム（２）を形成し、その上部開放ホーム（２）の両側下部には水平突出部（３）が内向に形成されて、両側の水平突出部（３）の下部にはＬＥＤ（９）のフランジ部（１１）が挿入され、フランジ部挿入空間部（４）が形成され、  フランジ部挿入空間部（４）の下部にはＬＥＤ（９）の２本リード線（１２）を分離させる中央隔壁が上向き突き出されて、この中央隔壁（６）の両側にはリード線に連結帯（７）で繋がれたＬＥＤ（９）の２本リード線（１２）が挿入されるフランジ部挿入空間部（４）が形成され、上記リード線の連結手段は薄い金属束にＬＥＤ（９）のリード線（１２）が挿入した多数のリード線組み立て穴（８）を形成したリード線連結束（７）が形成することによって可能になり、一双のリード線連結束（７）には多数のＬＥＤ（９）を挿入設置するが、それぞれのリード線（１２）はリード線連結束（７）のリード線組み立て穴（８）に挿入した後に圧搾結合し、一双のリード線連結束（７）に多数のＬＥＤ（９）が連結設置されたＬＥＤ連結体（１４）を装備しており、上記ＬＥＤ結合体（１４）の両側リード線（１２）とリード線連結束（７）が結合されたリード結合部は中央隔壁（６）両側リード線挿入空間部（５）に挿入し、多数のフランジ部（１１）はフランジ挿入空間部（４）で挿入され、さらに上部開放ホーム（２）でモルディング材（１３）が詰め凹ホーム（１６）に挿入したＬＥＤ結合体（１４）の間にもモルディング材（１３）が詰めて結合することを特徴とする広告用ＬＥＤモジュール。